(57)【特許請求の範囲】
【請求項１】
上片と、前記上片の両端部から下方に垂下する左右の側片と、前記側片の下端部から内側に連設されるリップ片と、からなる下方に開口する断面リップ付きコ字状をしており、前記リップ片は、前記側片の下端部から内側に連設される水平片と、前記水平片から内斜め上方に連設される斜片と、前記斜片の上端部から外方に連設される被取付片と、を備え、前記リップ片間に束が嵌入される開口溝が形成されるものであり、前記上片の上面に断熱材が設けられることを特徴とする大引。
【請求項２】
長手方向の端部に、前記リップ片の下面に当接する下片と、前記側片の外面に当接し固着具挿通孔が形成される側片と、土台の側面に当接し固着具挿通孔が形成される被取付片と、を備える端部接続部材が設けられることを特徴とする請求項１記載の大引。
【請求項３】
前記上片上に載置される被挟持片と、前記被挟持片に設けられ断熱材を支持する支持片と、を備える断熱材受け具が設けられることを特徴とする請求項１または２記載の大引。
【発明の詳細な説明】
【技術分野】
【０００１】
本発明は、鋼製の大引に関するものである。
【背景技術】
【０００２】
従来より、鋼製の大引が利用されている（例えば特許文献１参照）。この鋼製の大引１０は、図７に示すように、上片２１と、左右の側片２２と、リップ片２３と、からなる下方に開口する断面リップ付きコ字状をしたもので、長手方向の両端部が土台（図示せず）に接続され、上片２１上に床材７が載置され、床材７の大引１０間の下面に断熱材８が設けられるものである。
【先行技術文献】
【特許文献】
【０００３】
【特許文献１】特開２０００−７３５２７号公報
【発明の概要】
【発明が解決しようとする課題】
【０００４】
ところが、断熱材８は、床材７の大引１０に載置されている部分には設けられていないため、室内の熱が床材７から大引１０を介して逃げてしまうものであった。
【０００５】
本発明は上記従来の問題点に鑑みて発明したものであって、その目的とするところは、床材が大引の上に載置されても、床材の大引に載置されている部分から熱が逃げてしまうのを抑えることができる大引を提供することを課題とするものである。
【課題を解決するための手段】
【０００６】
上記課題を解決するために、本発明の大引は、以下のような構成とする。
【０００７】
上片と、前記上片の両端部から下方に垂下する左右の側片と、前記側片の下端部から内側に連設されるリップ片と、からなる下方に開口する断面リップ付きコ字状をしており、前記リップ片は、前記側片の下端部から内側に連設される水平片と、前記水平片から内斜め上方に連設される斜片と、前記斜片の上端部から外方に連設される被取付片と、を備え、前記リップ片間に束が嵌入される開口溝が形成されるものであり、前記上片の上面に断熱材が設けられることを特徴とする。
【０００８】
また、長手方向の端部に、前記リップ片の下面に当接する下片と、前記側片の外面に当接し固着具挿通孔が形成される側片と、土台の側面に当接し固着具挿通孔が形成される被取付片と、を備える端部接続部材が設けられることが好ましいものである。
【０００９】
また、前記上片上に載置される被挟持片と、前記被挟持片に設けられ断熱材を支持する支持片と、を備える断熱材受け具が設けられることが好ましい。
【発明の効果】
【００１０】
本発明にあっては、室内の熱が床材から大引を介して逃げてしまうのを抑えることができるものである。
【図面の簡単な説明】
【００１１】
【図１】本発明の一実施形態の大引の断面図である。
【図２】同上の大引に鋼製の束が取り付けられた状態の断面図である。
【図３】同上の大引が端部接続部材を介して土台に取り付けられた状態の断面図である。
【図４】同上の端部接続部材の斜視図である。
【図５】同上の大引に床材が載置され断熱材が設けられた状態の断面図である。
【図６】同上の断熱材受け具を示し、（ａ）は下面図であり、（ｂ）は側面図であり、（ｃ）は正面図である。
【図７】従来例の断面図である。
【発明を実施するための形態】
【００１２】
以下、本発明の一実施形態について添付図面に基いて説明する。本発明の大引１は、鋼製の上片２１と側片２２とリップ片２３と、断熱材３とで構成されるもので、図１は長手方向に直交する方向の断面図である。
【００１３】
本実施形態では、上片２１と側片２２とリップ片２３は厚さ１．２ｍｍの鋼板で一体に形成されている。上片２１は、本実施形態では短手方向（図１中の左右方向）の長さが７５ｍｍで、短手方向の両端部から側片２２が下方に連設されている。側片２２は、本実施形態では上下長さが９０ｍｍで、下端部から内方にリップ片２３が連設されている。
【００１４】
リップ片２３は、本実施形態では、短手方向の長さが１７．５ｍｍの水平片２４と、この水平片２４から内斜め上方に連設される斜片２５と、斜片２５の上端部から外方に連設される被取付片２６と、で構成される。リップ片２３間には開口溝２７が形成され、図２に示すように、開口溝２７に鋼製の束４が嵌入され、被取付片２６に鋼製の束４が取り付けられて固定される。なお、上片２１、側片２２、リップ片２３の厚みや長さ寸法は、上記に限定されない。
【００１５】
断熱材３は、本実施形態では、熱伝導率が０．０２４Ｗ／ｍ・Ｋ以下で、圧縮強さが３６Ｎ／ｃｍ２のものが採用されているが、これに限定されるものではない。また、断熱材３は、前記圧縮強さ以上であっても勿論よい。断熱材３の断面形状は、短手方向（図１中の左右方向）の長さが７５ｍｍで、上下長さが２０ｍｍである。従って、大引１全体での上下長さは１１０ｍｍとなる。
【００１６】
この大引１は、図３に示すように、長手方向の端部に端部接続部材５が取り付けられ、端部接続部材５が土台６に接続されることで、大引１が土台６に対して固定される。
【００１７】
端部接続部材５は、図４に示すように、下片５１と、下片５１の両端部から上方に連設される左右の側片５２と、側片５２の長手方向の端部から外方に連設される被取付片５３と、で構成される。下片５１はリップ片２３の下面に当接し、側片５２は側片２２の外面に当接し、被取付片５３は土台６の側面に当接するものである。
【００１８】
側片５２には固着具挿通孔５４が形成されると共に側片２２にも固着具挿通孔（図示せず）が形成されており、ボルト・ナットからなる固着具（図示せず）により側片２２に固着され、端部接続部材５が大引１に固定される。
【００１９】
また、被取付片５３には固着具挿通孔５５が形成されており、ボルトや釘等の固着具（図示せず）により土台６の側片２２に固着され、端部接続部材５（すなわち大引１）が土台６に固定される。
【００２０】
このように土台６に固定された大引１には、図５に示すように、床材７が載置されるものである。床材７は、本実施形態では、大引１の断熱材３上に載置される合板からなる床基材７１と、床基材７１上に載置される木質床材等の床仕上材７２とで構成されるが、特にこれに限定されない。
【００２１】
また、床材７の大引１間の下面には、断熱材８が設けられるものである。この断熱材８は、大引１の一部をなす上記断熱材３のような圧縮強さ（本実施形態では３６Ｎ／ｃｍ２）はなくてもよい。断熱材８は、断熱材受け具９により床材７の下面に設けられる。
【００２２】
断熱材受け具９は、被挟持片９１と垂下片９２と支持片９３と上覆い片９４とを備えている。被挟持片９１は、上片２１上に載置されると共にその上に床材７が載置され、上片２１と床材７とで挟持されるものである。なお、被挟持片９１が上片２１に接着や固着具により固定されてよい。被挟持片９１からは垂下片９２が垂下されると共に、垂下片９２の下端部から支持片９３が水平に連設され、垂下片９２が側片２２に当接し、支持片９３が断熱材８中に刺し込まれて、断熱材８を支持する。また、被挟持片９１からは断熱材８の上面を覆う上覆い片９４が連設されている。
【００２３】
上記のような構成によれば、床材７の大引１に載置されている部分が断熱材３に当接するため、室内の熱が床材７から大引１を介して逃げてしまうのを抑えることができるものである。
【符号の説明】
【００２４】
１    大引
２１  上片
２２  側片
２３  リップ片
２４  水平片
２５  斜片
２６  被取付片
２７  開口溝
３    断熱材
４    鋼製の束
５    端部接続部材
５１  下片
５２  側片
５３  被取付片
５４  固着具挿通孔
５５  固着具挿通孔
６    土台
７    床材
７１  床基材
７２  床仕上材
８    断熱材
９    断熱材受け具
９１  被挟持片
９２  垂下片
９３  支持片
９４  上覆い片
【図１】
0005592830.tif 000002
【図２】
0005592830.tif 000003
【図３】
0005592830.tif 000004
【図４】
0005592830.tif 000005
【図５】
0005592830.tif 000006
【図６】
0005592830.tif 000007
【図７】
0005592830.tif 000008